【誤訳訂正書】
【提出日】平成28年10月5日(2016.10.5)
【誤訳訂正１】
【訂正対象書類名】明細書
【訂正対象項目名】０００５
【訂正方法】変更
【訂正の内容】
【０００５】
一実施形態では、屋内タイヤテストのための拡張可能な車両モデル（ＳＶＭ）を作成するための方法が提供され、方法は、様々な重量を有する複数の個々の車両を表す車両セグメントを選択することと、車両のホイールベース、車両のホイールトラック、車両の重心、車両のサスペンションコンプライアンス、車両のサスペンション運動特性、車両のサスペンションアライメント、車両のステアリング運動特性、車両の重量分布、車両のバラスト、車両の前後ブレーキ比、タイヤ剛性、車両の空力抵抗、車両のフロント面積、車両の補助ロール剛性、車両の前後方向剛性、車両のコーナリングスティッフネス、及び車両のばね下質量、のうちの少なくとも１つを含む、少なくとも１つの車両モデルパラメータを定義することと、等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、ＳＶＭの全重量（「Ｗ」）の関数としての回帰分析を通して少なくとも１つの車両モデルパラメータを特性評価することであって、Ｐ（Ｗ）が少なくとも１つの車両のモデルパラメータであり、Ｃｎ（Ｗ）がＷの多項式関数としての回帰係数であり、Ａがジャウンスとステアリング角のうちの少なくとも１つを含む独立変数である、ことと、を含む。一実施形態では、Ｃｎ（Ｗ）は、ａｎ０＋ａｎ１Ｗ＋ａｎ２Ｗ２＋ａｎ３Ｗ３に等しい。別の実施形態では、方法はＷの関数としてＳＶＭを作成することを更に含んでもよい。別の実施形態では、方法は、更に、少なくとも１つのＷの関数としての車両モデルパラメータの特性評価を車両ダイナミックソフトウェアに実装することと、車両ダイナミックソフトウェアを用いてＳＶＭを少なくとも１つの操作に適用し、ＳＶＭの少なくとも１つのタイヤのタイヤ荷重経緯を決定することと、を含んでもよい。
【誤訳訂正２】
【訂正対象書類名】明細書
【訂正対象項目名】０００６
【訂正方法】変更
【訂正の内容】
【０００６】
別の実施形態では、屋内タイヤテストのための拡張可能な車両モデル（ＳＶＭ）を作成する方法が提供され、方法は、様々な重量を有する複数の個々の車両を表す車両セグメントを選択することと、車両のホイールベース、車両のホイールトラック、車両の重心、車両のサスペンションコンプライアンス、車両のサスペンション運動特性、車両のサスペンションアライメント、車両のステアリング運動特性、車両の重量分布、車両のバラスト、車両の前後ブレーキ比、タイヤ剛性、車両の空力抵抗、車両のフロント面積、車両の補助ロール剛性、車両の前後方向剛性、車両のコーナリングスティッフネス、及び車両のばね下質量、のうちの少なくとも１つを含む、少なくとも１つの車両モデルパラメータを定義することと、等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、ＳＶＭの総重量（「Ｗ］）の関数としての回帰分析を通して少なくとも１つの車両モデルパラメータを特性評価することであって、Ｐ（Ｗ）が少なくとも１つの車両モデルパラメータであり、Ｃｎ（Ｗ）がＷの関数としての回帰係数であって、ａｎ０＋ａｎ１Ｗ＋ａｎ２Ｗ２＋ａｎ３Ｗ３、に等しく、Ａがジャウンスとステアリング角の少なくとも１つを含む独立変数である、ことと、車両ダイナミックソフトウェアを用いて、少なくとも１つのＷの関数としての車両モデルパラメータの特性評価をインプットすることと、を含む。
【誤訳訂正３】
【訂正対象書類名】明細書
【訂正対象項目名】０００７
【訂正方法】変更
【訂正の内容】
【０００７】
別の実施形態では、屋内タイヤテストのための拡張可能な車両モデル（ＳＶＭ）を作成する方法が提供され、方法は、様々な重量を有する複数の個々の車両を表す車両セグメントを選択することと、車両のホイールベース、車両のホイールトラック、車両の重心、車両のサスペンションコンプライアンス、車両のサスペンション運動特性、車両のサスペンションアライメント、車両のステアリング運動特性、車両の重量分布、車両のバラスト、車両の前後ブレーキ比、タイヤ剛性、車両の空力抵抗、車両のフロント面積、車両の補助ロール剛性、車両の前後方向剛性、車両のコーナリングスティッフネス、及び車両のばね下質量、のうちの少なくとも１つを含む、少なくとも１つの車両のモデルパラメータを定義することと、等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、ＳＶＭの総重量（「Ｗ」）の関数としての回帰分析を通して少なくとも１つの車両モデルパラメータを特性評価することであって、Ｐ（Ｗ）が少なくとも１つの車両モデルパラメータであり、Ｃｎ（Ｗ）がＷの関数としての回帰係数であって、ａｎ０＋ａｎ１Ｗ＋ａｎ２Ｗ２＋ａｎ３Ｗ３、に等しく、Ａがジャウンスとステアリング角のうちの少なくとも１つを含む独立変数である、ことと、車両ダイナミックソフトウェアを用いて、少なくとも１つのＷの関数としての車両モデルパラメータの特性評価をインプットすることと、ＳＶＭを車両ダイナミックソフトウェアの少なくとも１つの操作に適用して、加速度、減速度、及び横方向加速度のうちの少なくとも１つを決定することと、ＳＶＭの各ホイールのホイール荷重履歴を作成することと、ＳＶＭをＷの関数として拡張可能に作成することと、を含む。
【誤訳訂正４】
【訂正対象書類名】明細書
【訂正対象項目名】００１９
【訂正方法】変更
【訂正の内容】
【００１９】
図２は、データセットの回帰分析による例示的結果を説明している。データセットは、ある車両セグメントの様々な車両におけるジャウンスに対するキャンバーの変化を表す。例示的データに示す各直線は、車両セグメントの車両と、そのジャウンスに対するその後部キャンバーの関係を表す。各車両の後部キャンバーは、その車両のジャウンスが約０ｍｍのとき、約０．０度である。例えば図２は、車両６が、そのジャウンスが約５０ｍｍのとき、約−１．０度の後部キャンバーを有することを示している。車両の後部キャンバーは、運転中にその車両のタイヤ内で経験される傾斜角に対して影響することがある。
【誤訳訂正５】
【訂正対象書類名】明細書
【訂正対象項目名】００２０
【訂正方法】変更
【訂正の内容】
【００２０】
一実施形態では、少なくとも１つの車両モデルパラメータが、ＳＶＭの重量（「Ｗ」）の関数としての回帰分析を通して特性評価される。一実施形態では、少なくとも１つの車両モデルパラメータが、等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いる回帰分析を通して特性評価される。Ｐ（Ｗ）は少なくとも１つの車両モデルパラメータであってもよい。Ｃｎ（Ｗ）は、Ｗの関数としての回帰係数であってもよく、ａｎ０＋ａｎ１Ｗ＋ａｎ２Ｗ２＋ａｎ３Ｗ３に等しい。Ａは、ジャウンスとステアリング角のうちの少なくとも１つを含む独立変数であってもよい。
【誤訳訂正６】
【訂正対象書類名】明細書
【訂正対象項目名】００２１
【訂正方法】変更
【訂正の内容】
【００２１】
ジャウンスデータに対する後部キャンバーの変化を回帰分析に適用し、Ｐ（Ｗ）を表す一連の直線として示されるＳＶＭ後部キャンバーの変化を作成する。Ｐ（Ｗ）を表す各直線は、特定の車両重量に関係する。一実施形態では、特定の車両重量のＰ（Ｗ）を表す直線が、その重量のＳＶＭの後部キャンバーの変化とジャウンスとの間の関係を推定するために使用される。
【誤訳訂正７】
【訂正対象書類名】明細書
【訂正対象項目名】００２２
【訂正方法】変更
【訂正の内容】
【００２２】
一実施形態では、少なくとも１つの車両モデルパラメータのそれぞれは、図１に示す前部サスペンション剛性のデータ、又は図２に示すジャウンスに対する後部キャンバーの変化のデータのいずれかと同じように回帰分析を通して特性評価される。
【誤訳訂正８】
【訂正対象書類名】明細書
【訂正対象項目名】００２３
【訂正方法】変更
【訂正の内容】
【００２３】
図３は、図２に示したデータセットの回帰分析による例示的結果を示す。図３は、重量１６，６８０Ｎ（３，７５０ｌｂｆ）から１７，７９２Ｎ（４，０００ｌｂｆ）のＳＶＭの、ある車両セグメントの様々な車両のジャウンスに対する後部キャンバーの変化を、予備回帰分析によってプロットした回帰直線を示す。回帰直線はＰ（Ｗ）を表していて、ＳＶＭのジャウンスに対する後部キャンバーを決定するための拡張可能な線形の予測可能性を可能としている。
【誤訳訂正９】
【訂正対象書類名】明細書
【訂正対象項目名】００３５
【訂正方法】変更
【訂正の内容】
【００３５】
一実施形態では、予測された力と傾斜角のデータが屋内摩耗テスト装置の駆動に使用される。タイヤの屋内摩耗テストは、摩耗テストドラムへのタイヤの適用を含んでもよい。タイヤは、車軸を含む機構に固定されるリムに装着されてもよい。タイヤは、所期の作動圧力又は任意の可能な所望の圧力に膨張されてもよい。摩耗テストドラムは、路面をシミュレートするように構成された回転する円筒表面を備えてもよい。タイヤを摩耗テストドラムに接触させ、路面上を作動するタイヤをシミュレートすることができる。機構は、特有の力と傾斜角を持ってタイヤを摩耗テストドラムに対して作用するように構成されてもよい。摩耗テストドラムに対するタイヤの作用力は、車両の重量、車両の積荷、車両の加速度、車両の減速度、車両の速度、車両のコーナリング等によるタイヤ荷重に相当するものでもよい。摩耗テストドラムに対するタイヤの作用傾斜角は、ジャウンス、車両の重量、車両の加速度、車両の減速度、車両のコーナリング等によるタイヤの傾斜角に相当するものでもよい。
【誤訳訂正１０】
【訂正対象書類名】明細書
【訂正対象項目名】００３７
【訂正方法】変更
【訂正の内容】
【００３７】
図４は、屋内タイヤテストのためのＳＶＭを作成する例示的方法４００を示している。方法は、多様な重量を有する複数の個々の車両を表す車両セグメントを選ぶこと（工程４０２）を含む。方法は、車両のホイールベース、車両のホイールトラック、車両の重心、車両のサスペンションコンプライアンス、車両のサスペンション運動特性、車両のサスペンションアライメント、車両のステアリング運動特性、車両の重量分布、車両のバラスト、車両の前後ブレーキ比、タイヤ剛性、車両の空力抵抗、車両のフロント面積、車両の補助ロール剛性、車両の前後方向剛性、車両のコーナリングスティッフネス、車両のばね下質量、車両のトランスミッションタイプ、車両の回生ブレーキ、及び車両のトルクベクタリング、のうちの少なくとも１つを含む、少なくとも１つの車両モデルパラメータを定義すること（工程４０４）を含んでもよい。方法は、等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、ＳＶＭの全重量（「Ｗ」）の関数としての回帰分析を通して少なくとも１つの車両モデルパラメータを特性評価することであって、Ｐ（Ｗ）が少なくとも１つの車両モデルパラメータであり、Ｃｎ（Ｗ）がＷの関数としての回帰係数であり、Ａがジャウンスとステアリング角のうちの少なくとも１つを含む独立変数である、こと（工程４０６）を含んでもよい。
【誤訳訂正１１】
【訂正対象書類名】明細書
【訂正対象項目名】００３８
【訂正方法】変更
【訂正の内容】
【００３８】
図５は、屋内タイヤテストのためのＳＶＭを作成する例示的方法５００説明である。方法は、多様な重量を有する複数の個々の車両を表す車両セグメントを選ぶこと（工程５０２）を含む。方法は、車両のホイールベース、車両のホイールトラック、車両の重心、車両のサスペンションコンプライアンス、車両のサスペンション運動特性、車両のサスペンションアライメント、車両のステアリング運動特性、車両の重量分布、車両のバラスト、車両の前後ブレーキ比、タイヤ剛性、車両の空力抵抗、車両のフロント面積、車両の補助ロール剛性、車両の前後方向剛性、車両のコーナリングスティッフネス、車両のばね下質量、車両のトランスミッションタイプ、車両の回生ブレーキ、及び車両のトルクベクタリング、のうちの少なくとも１つを含む、少なくとも１つの車両モデルパラメータを定義すること（工程５０４）を含んでもよい。方法は、等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、ＳＶＭの全重量（「Ｗ」）の関数としての回帰分析を通して少なくとも１つの車両モデルパラメータを特性評価することであって、Ｐ（Ｗ）が少なくとも１つの車両モデルパラメータであり、Ｃｎ（Ｗ）がＷの関数としての回帰係数であって、ａｎ０＋ａｎ１Ｗ＋ａｎ２Ｗ２＋ａｎ３Ｗ３に等しく、Ａがジャウンスとステアリング角のうちの少なくとも１つを含む独立変数である、こと（工程５０６）を含んでもよい。方法は、車両ダイナミックソフトウェアを用いて、少なくとも１つのＷの関数としての車両モデルパラメータの特性評価をインプットすること（工程５０８）を含んでもよい。
【誤訳訂正１２】
【訂正対象書類名】明細書
【訂正対象項目名】００３９
【訂正方法】変更
【訂正の内容】
【００３９】
図６は、屋内タイヤテストのためのＳＶＭを作成する例示的方法６００の説明である。方法は、多様な重量を有する複数の個々の車両を表す車両セグメントを選ぶこと（工程６０２）を含む。方法は、車両のホイールベース、車両のホイールトラック、車両の重心、車両のサスペンションコンプライアンス、車両のサスペンション運動特性、車両のサスペンションアライメント、車両のステアリング運動特性、車両の重量分布、車両のバラスト、車両の前後ブレーキ比、タイヤ剛性、車両の空力抵抗、車両のフロント面積、車両の補助ロール剛性、車両の前後方向剛性、車両のコーナリングスティッフネス、車両のばね下質量、車両のトランスミッションタイプ、車両の回生ブレーキ、及び車両のトルクベクタリング、のうちの少なくとも１つを含む、少なくとも１つの車両モデルパラメータを定義すること（工程６０４）を含んでもよい。方法は、等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、ＳＶＭの全重量（「Ｗ」）の関数としての回帰分析を通して少なくとも１つの車両モデルパラメータを特性評価することであって、Ｐ（Ｗ）が少なくとも１つの車両モデルパラメータであり、Ｃｎ（Ｗ）がＷの関数としての回帰係数であって、ａｎ０＋ａｎ１Ｗ＋ａｎ２Ｗ２＋ａｎ３Ｗ３に等しく、Ａがジャウンスとステアリング角のうちの少なくとも１つを含む独立変数である、こと（工程６０６）を含んでもよい。方法は、車両ダイナミックソフトウェアを用いて、少なくとも１つのＷの関数としての車両モデルパラメータの特性評価をインプットすること（工程６０８）を含んでもよい。方法は、ＳＶＭを車両ダイナミックソフトウェアの少なくとも１つの操作に適用して、加速度、減速度、及び横方向の加速度のうちの少なくとも１つを決定すること、及び、ＳＶＭの各ホイールのホイール荷重経歴を作成すること（工程６１０）、を含んでもよい。方法は、Ｗの関数としてのＳＶＭの拡張可能性を作成すること（工程６１２）を含んでもよい。
【誤訳訂正１３】
【訂正対象書類名】特許請求の範囲
【訂正対象項目名】全文
【訂正方法】変更
【訂正の内容】
【特許請求の範囲】
【請求項１】
屋内タイヤテストのための拡張可能な車両モデルを作成する方法であって、
様々な重量を有する複数の個々の車両を表す車両セグメントを選択する工程と、
前記車両のホイールベース、前記車両のホイールトラック、前記車両の重心、前記車両のサスペンションコンプライアンス、前記車両のサスペンション運動特性、前記車両のサスペンションアライメント、前記車両のステアリング運動特性、前記車両の重量分布、前記車両のバラスト、前記車両の前後ブレーキ比、タイヤ剛性、前記車両の空力抵抗、前記車両のフロント面積、前記車両の補助ロール剛性、前記車両の前後方向剛性、前記車両のコーナリングスティッフネス、及び前記車両のばね下質量、のうちの少なくとも１つを含む、少なくとも１つの車両モデルパラメータを定義する工程と、
等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、拡張可能な車両モデルの全重量（「Ｗ」）の関数としての回帰分析を通して前記少なくとも１つの車両モデルパラメータを特性評価する工程であって、
Ｐ（Ｗ）が前記少なくとも１つの車両モデルパラメータであり、
Ｃｎ（Ｗ）がＷの関数としての回帰係数であり、
Ａがジャウンスとステアリング角のうちの少なくとも１つを含む独立変数である、工程と、を含む、方法。
【請求項２】
Ｃｎ（Ｗ）がａｎ０＋ａｎ１Ｗ＋ａｎ２Ｗ２＋ａｎ３Ｗ３に等しい、請求項１に記載の方法。
【請求項３】
車両ダイナミックソフトウェアを用いて、前記少なくとも１つのＷの関数としての拡張可能な車両モデルパラメータの前記特性評価をインプットする工程を更に含む、請求項１に記載の方法。
【請求項４】
前記車両ダイナミックソフトウェアが、ＣａｒＳｉｍと任意の他の車両ダイナミックソフトウェアのうちの少なくとも１つを含む、請求項３に記載の方法。
【請求項５】
前記拡張可能な車両モデルを、前記車両ダイナミックソフトウェアの少なくとも１つの操作に適用して、長手方向の加速度と減速度、横方向加速度、及び前記拡張可能な車両モデルの各タイヤのタイヤ力履歴、のうちの少なくとも１つを決定する工程を更に含む、請求項３に記載の方法。
【請求項６】
前記拡張可能な車両モデルを、Ｗの関数として拡張可能に作成する工程を更に含む、請求項３に記載の方法。
【請求項７】
前記拡張可能な車両モデル上でのタイヤ位置毎のタイヤ力及び傾斜角の少なくとも１つの式を作成する工程を更に含み、前記タイヤ力及び傾斜角が前記拡張可能な車両モデルの加速度の関数である、請求項３に記載の方法。
【請求項８】
少なくとも１つの式を作成する工程が、前記拡張可能な車両モデルの加速度、速度、及び経路曲率の関数としてのタイヤ力の回帰曲線適合、並びに、前記拡張可能な車両モデルの加速度、速度、及び経路曲率の関数としてのタイヤ傾斜角の回帰曲線適合、のうちの少なくとも１つを含む、請求項７に記載の方法。
【請求項９】
前記少なくとも１つの式を、屋内タイヤテスト装置の駆動及び有限要素解析への情報の提供のうちの少なくとも１つに使用する工程を更に含む、請求項７に記載の方法。
【請求項１０】
屋内タイヤテストのための拡張可能な車両モデルを作成する方法であって、
様々な重量を有する複数の個々の車両を表す車両セグメントを選択する工程と、
前記車両のホイールベース、前記車両のホイールトラック、前記車両の重心、前記車両のサスペンションコンプライアンス、前記車両のサスペンション運動特性、前記車両のサスペンションアライメント、前記車両のステアリング運動特性、前記車両の重量分布、前記車両のバラスト、前記車両の前後ブレーキ比、タイヤ剛性、前記車両の空力抵抗、前記車両のフロント面積、前記車両の補助ロール剛性、前記車両の前後方向剛性、前記車両のコーナリングスティッフネス、及び前記車両のばね下質量、のうちの少なくとも１つを含む、少なくとも１つの車両モデルパラメータを定義する工程と、
等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、拡張可能な車両モデルの全重量（「Ｗ」）の関数としての回帰分析を通して前記少なくとも１つの車両モデルパラメータを特性評価する工程であって、
Ｐ（Ｗ）が前記少なくとも１つの車両モデルパラメータであり、
Ｃｎ（Ｗ）がＷの関数としての回帰係数であって、ａｎ０＋ａｎ１Ｗ＋ａｎ２Ｗ２＋ａｎ３Ｗ３、に等しく、
Ａがジャウンスとステアリング角のうちの少なくとも１つを含む独立変数である、工程と、
車両ダイナミックソフトウェアを用いて、前記少なくとも１つのＷの関数としての車両モデルパラメータの前記特性評価をインプットする工程と、を含む方法。
【請求項１１】
前記車両ダイナミックソフトウェアが、ＣａｒＳｉｍと任意の他の車両ダイナミックソフトウェアのうちの少なくとも１つを含む、請求項１０に記載の方法。
【請求項１２】
前記拡張可能な車両モデルを、前記車両ダイナミックソフトウェアの少なくとも１つの操作に適用して、加速度、減速度、及び横方向加速度のうちの少なくとも１つを決定する工程と、前記拡張可能な車両モデルの各ホイールのホイール荷重履歴を作成する工程と、を更に含む、請求項１０に記載の方法。
【請求項１３】
前記拡張可能な車両モデルを、Ｗの関数として拡張可能に作成する工程を更に含む、請求項１０に記載の方法。
【請求項１４】
前記拡張可能な車両モデル上でのタイヤ位置毎のタイヤ力及び傾斜角の少なくとも１つの式を作成する工程を更に含み、前記タイヤ力及び傾斜角が前記拡張可能な車両モデルの重心加速度及び速度の関数である、請求項１０に記載の方法。
【請求項１５】
少なくとも１つの式を作成する工程が、前記拡張可能な車両モデルの加速度、速度、及び経路曲率の関数としてのタイヤ力の回帰曲線適合、並びに、前記拡張可能な車両モデルの加速度、速度、及び経路曲率の関数としてのタイヤ傾斜角の回帰曲線適合、のうちの少なくとも１つを含む、請求項１４に記載の方法。
【請求項１６】
前記少なくとも１つの式を、屋内タイヤテスト装置の駆動及び有限要素解析への情報のインプットのうちの少なくとも１つに使用する工程を更に含む、請求項１４に記載の方法。
【請求項１７】
屋内タイヤテストのための拡張可能な車両モデルを作成する方法であって、
様々な重量を有する複数の個々の車両を表す車両セグメントを選択する工程と、
前記車両のホイールベース、前記車両のホイールトラック、前記車両の重心、前記車両のサスペンションコンプライアンス、前記車両のサスペンション運動特性、前記車両のサスペンションアライメント、前記車両のステアリング運動特性、前記車両の重量分布、前記車両のバラスト、前記車両の前後ブレーキ比、タイヤ剛性、前記車両の空力抵抗、前記車両のフロント面積、前記車両の補助ロール剛性、前記車両の前後方向剛性、前記車両のコーナリングスティッフネス、前記車両のばね下質量、のうちの少なくとも１つを含む、少なくとも１つの車両モデルパラメータを定義する工程と、
等式Ｐ（Ｗ）＝Ｃ０（Ｗ）＋Ｃ１（Ｗ）Ａ＋Ｃ２（Ｗ）Ａ２＋Ｃ３（Ｗ）Ａ３を用いて、拡張可能な車両モデルの全重量（「Ｗ」）の関数としての回帰分析を通して前記少なくとも１つの車両モデルパラメータを特性評価する工程であって、
Ｐ（Ｗ）が前記少なくとも１つの車両モデルパラメータであり、
Ｃｎ（Ｗ）がＷの関数としての回帰係数であって、ａｎ０＋ａｎ１Ｗ＋ａｎ２Ｗ２＋ａｎ３Ｗ３に等しく、
Ａがジャウンスとステアリング角のうちの少なくとも１つを含む独立変数である、工程と、
車両ダイナミックソフトウェアを用いて、少なくとも１つのＷの関数としての車両モデルパラメータの特性評価をインプットする工程と、
前記拡張可能な車両モデルを、前記車両ダイナミックソフトウェアの少なくとも１つの操作に適用して、加速度、減速度、及び横方向加速度のうちの少なくとも１つを決定する工程と、前記拡張可能な車両モデルの各ホイールのホイール荷重履歴を作成する工程と、
前記拡張可能な車両モデルをＷの関数として拡張可能に作成する工程と、を含む、方法。
【請求項１８】
前記拡張可能な車両モデル上でのタイヤ位置毎のタイヤ力及び傾斜角の少なくとも１つの式を作成する工程を更に含み、前記タイヤ力及び傾斜角が前記拡張可能な車両モデルの重心加速度及び速度の関数である、請求項１７に記載の方法。
【請求項１９】
少なくとも１つの式を作成する工程が、前記拡張可能な車両モデルの加速度、速度、及び経路曲率の関数としてのタイヤ力の回帰曲線適合、並びに、前記拡張可能な車両モデルの加速度、速度、及び経路曲率の関数としてのタイヤ傾斜角の回帰曲線適合、のうちの少なくとも１つを含む、請求項１８に記載の方法。
【請求項２０】
前記少なくとも１つの式を、屋内タイヤテスト装置の駆動及び有限要素解析への情報のインプットのうちの少なくとも１つに使用する工程を更に含む、請求項１８に記載の方法。